(57)【要約】      （修正有）【課題】足部の左右側の筋肉を鍛錬することが可能であり、そして鍛錬時にユーザは容易に疲労しない足部ストレッチ用健康器具を提供する。【解決手段】上方には、互いに対応する二つのガイドレール１１，１２が設けられているフレーム部１０と、両側には、複数のローラ２１１がそれぞれ設けられており、これらのローラは、二つのガイドレールのガイド範囲内に移動可能である二つの滑り板２１，２２と、伝動ユニットと、シャフトと、から構成されるモータユニットと、駆動端に偏心ホイール４３，４４がそれぞれ枢着されており、作用端は、二つの滑り板の底面と一体成形されるラグにそれぞれ枢着されている二つのクランク４１，４２と、を含み、モータユニットが伝動ユニットを駆動して、伝動ユニットがシャフトを駆動しているときに、偏心ホイールにより、シャフトの回転は、スライディング動作に変換されて二つのクランクを駆動する。【選択図】図１
0003191488.tif 000002
【実用新案登録請求の範囲】
【請求項１】
上方には、互いに対応する二つのガイドレールが設けられているフレーム部と、
両側には、複数のローラがそれぞれ設けられており、これらの前記ローラは、前記二つのガイドレールのガイド範囲内に移動可能である二つの滑り板と、
伝動ユニットと、シャフトと、から構成されるモータユニットと、
駆動端に偏心ホイールがそれぞれ枢着されており、作用端は、前記二つの滑り板の底面と一体成形されるラグにそれぞれ枢着されている二つのクランクと、
を含み、
前記モータユニットが前記伝動ユニットを駆動して、前記伝動ユニットが前記シャフトを駆動しているときに、前記偏心ホイールにより、前記シャフトの回転は、スライディング動作に変換されて前記二つのクランクを駆動して、前記二つのクランクのスライディング動作により、前記二つの滑り板は、互いに近接し、又は互いに離れることを特徴とする足部ストレッチ用健康器具。
【請求項２】
前記シャフトにアイドラーが固定されており、前記アイドラーにより、前記二つのクランクの回転に死点を有しないことを特徴とする、請求項１に記載の足部ストレッチ用健康器具。
【請求項３】
前記偏心ホイールの周面に軸受が嵌め設けられており、前記軸受は、前記クランクの前記駆動端にある円形穴に嵌め込まれていることを特徴とする、請求項１に記載の足部ストレッチ用健康器具。
【請求項４】
前記モータユニットは、モータ枠と、モータと、モータ軸と、を含み、前記モータ枠に前記モータが締結されており、前記モータの前記モータ軸は、前記モータの一側から突出して前記モータ枠に延びることを特徴とする、請求項１に記載の足部ストレッチ用健康器具。
【請求項５】
前記伝動ユニットは、第１プーリーと、第２プーリーと、第３プーリーと、第４プーリーと、第１ベルトと、第２ベルトと、ロッドと、を含み、前記ロッドは前記モータ枠に固定されており、前記第１プーリーは前記モータ軸に固定されており、前記第４プーリーは前記シャフトに固定されており、前記第２プーリーと前記第３プーリーは、一体となり、前記ロッドに枢着されており、前記第１ベルトは、前記第１プーリーと前記第２プーリーに巻き付けられており、前記第２ベルトは、前記第３プーリーと前記第４プーリーに巻き付けられていることを特徴とする、請求項４に記載の足部ストレッチ用健康器具。
【請求項６】
前記フレーム部の底部のエッジに近接する箇所では、支持脚が複数設けられており、これらの前記支持脚は床面に押付けることを特徴とする、請求項１に記載の足部ストレッチ用健康器具。
【考案の詳細な説明】
【技術分野】
【０００１】
本考案は、健康器具に関し、特に、足部の筋肉をストレッチすることが可能な足部ストレッチ用健康器具に関するものである。
【背景技術】
【０００２】
市販している健康器具は、色々のタイプがある。これらの健康器具により、身体の各部位の筋肉を鍛錬することが可能である。足部の筋肉の鍛錬に関する健康器具は、トレッドミル又はステッパーなどがあるが、これらは足部の前後側の筋肉だけを鍛錬することが可能である。
【０００３】
しかし、足部の前後側の筋肉だけを鍛錬することは不足であり、足部の左右側の筋肉を鍛錬することも必要である。一方、外部の動力を補助せずに足部の筋肉を鍛錬すると、ユーザが疲労しやすい問題がある。
【考案の概要】
【考案が解決しようとする課題】
【０００４】
本考案の主な目的は、モータユニットに駆動される二つの偏心ホイールにより、二つの偏心ホイールに駆動される二つのクランクが滑り板を駆動して、滑り板は、互いに近接し、又は互いに離れ、これにより、足部の左右側の筋肉を鍛錬することが可能であり、そして鍛錬時にユーザは容易に疲労しない足部ストレッチ用健康器具を提供することにある。
【課題を解決するための手段】
【０００５】
本考案の足部ストレッチ用健康器具によると、上方には、互いに対応する二つのガイドレールが設けられているフレーム部と、両側には、複数のローラがそれぞれ設けられており、これらのローラは、二つのガイドレールのガイド範囲内に移動可能である二つの滑り板と、伝動ユニットと、シャフトと、から構成されるモータユニットと、駆動端に偏心ホイールがそれぞれ枢着されており、作用端は、二つの滑り板の底面と一体成形されるラグにそれぞれ枢着されている二つのクランクと、を含み、モータユニットが伝動ユニットを駆動して、伝動ユニットがシャフトを駆動しているときに、偏心ホイールにより、シャフトの回転は、スライディング動作に変換されて二つのクランクを駆動して、二つのクランクのスライディング動作により、二つの滑り板は、互いに近接し、又は互いに離れることを特徴とする。
【０００６】
本考案の足部ストレッチ用健康器具によると、シャフトにアイドラーが固定されており、アイドラーにより、二つのクランクの回転に死点を有しないことを特徴とする。
【０００７】
本考案の足部ストレッチ用健康器具によると、偏心ホイールの周面に軸受が嵌め設けられており、軸受は、クランクの駆動端にある円形穴に嵌め込まれていることを特徴とする。
【０００８】
本考案の足部ストレッチ用健康器具によると、モータユニットは、モータ枠と、モータと、モータ軸と、を含み、モータ枠にモータが締結されており、モータのモータ軸は、モータの一側から突出してモータ枠に延びることを特徴とする。
【０００９】
本考案の足部ストレッチ用健康器具によると、伝動ユニットは、第１プーリーと、第２プーリーと、第３プーリーと、第４プーリーと、第１ベルトと、第２ベルトと、ロッドと、を含み、ロッドはモータ枠に固定されており、第１プーリーはモータ軸に固定されており、第４プーリーはシャフトに固定されており、第２プーリーと第３プーリーは、一体となり、ロッドに枢着されており、第１ベルトは、第１プーリーと第２プーリーに巻き付けられており、第２ベルトは、第３プーリーと第４プーリーに巻き付けられていることを特徴とする。
【００１０】
本考案の足部ストレッチ用健康器具によると、フレーム部の底部のエッジに近接する箇所では、支持脚が複数設けられており、これらの支持脚は床面に押付けることを特徴とする。
【考案の効果】
【００１１】
本考案の足部ストレッチ用健康器具によれば、モータユニットに駆動される二つの偏心ホイールにより、二つの偏心ホイールに駆動される二つのクランクが滑り板を駆動して、滑り板は、互いに近接し、又は互いに離れ、これにより、足部の左右側の筋肉を鍛錬することが可能であり、そして鍛錬時にユーザは容易に疲労しないという効果を有する。
【図面の簡単な説明】
【００１２】
【図１】本考案の一実施例を示す斜視図である。
【図２】本考案の一実施例を示す分解斜視図である。
【図３】本考案の一実施例の一つのクランクと偏心ホイールを示す分解斜視図である。
【図４】本考案の一実施例のクランクによるスライディングを示す図である。
【図５】本考案の一実施例の伝動ユニットの一部を示す斜視図である。
【図６】本考案の一実施例の下方から見た斜視図である。
【図７】本考案の一実施例の使用状態を示す図である。
【考案を実施するための最良の形態】
【００１３】
以下、本考案の実施の形態を図面に基づいて説明する。
図１から図７を参照する。図１は本考案の一実施例を示す斜視図であり、図２は本考案の一実施例を示す分解斜視図であり、図３は本考案の一実施例の一つのクランクと偏心ホイールを示す分解斜視図であり、図４は本考案の一実施例のクランクによるスライディングを示す図であり、図５は本考案の一実施例の伝動ユニットの一部を示す斜視図であり、図６は本考案の一実施例の下方から見た斜視図であり、図７は本考案の一実施例の使用状態を示す図である。本考案の一実施例の足部ストレッチ用健康器具は、フレーム部１０と、滑り板２１、２２と、モータユニット３０と、クランク４１、４２と、を含む。
【００１４】
フレーム部１０の上方には、互いに対応するガイドレール１１、１２が設けられている。
【００１５】
滑り板２１、２２の両側には、複数のローラ２１１、２２１がそれぞれ設けられている。複数のローラ２１１、２２１は、ガイドレール１１、１２のガイド範囲内に移動可能である。
【００１６】
モータユニット３０は、伝動ユニット３１と、伝動ユニット３１に駆動されるシャフト３２と、から構成される。
【００１７】
クランク４１、４２は、駆動端４１１、４２１に偏心ホイール４３、４４がそれぞれ枢着されており、作用端４１２、４２２は、滑り板２１、２２の底面と一体成形されるラグ２１２、２２２にそれぞれ枢着されている。このように、モータユニット３０が伝動ユニット３１を駆動して、伝動ユニット３１がシャフト３２を駆動しているときに、偏心ホイール４３、４４により、シャフト３２の回転は、スライディング動作に変換されてクランク４１、４２を駆動し、クランク４１、４２のスライディング動作により、滑り板２１、２２は、互いに近接し、又は互いに離れる。それぞれ滑り板２１、２２に立っているユーザの両足は、滑り板２１、２２の繰り返す移動により、足部の左右側の筋肉を鍛錬することが可能である。
【００１８】
シャフト３２にアイドラー４５が固定されている。アイドラー４５により、クランク４１、４２の回転に死点を有しない。
【００１９】
偏心ホイール４３、４４の周面に軸受４６が嵌め設けられている。軸受４６は、クランク４１、４２の駆動端４１１、４２１にある円形穴４１１１、４２１１に嵌め込まれている。
【００２０】
モータユニット３０は、モータ枠３３と、モータ３４と、モータ軸３４１と、を含む。モータ枠３３にモータ３４が締結されている。モータ３４のモータ軸３４１は、モータ３４の一側から突出してモータ枠３３に延びる。
【００２１】
伝動ユニット３１は、第１プーリー３１１と、第２プーリー３１２と、第３プーリー３１３と、第４プーリー３１４と、第１ベルト３１５と、第２ベルト３１６と、ロッド３１７と、を含む。ロッド３１７はモータ枠３３に固定されている。第１プーリー３１１はモータ軸３４１に固定されている。第４プーリー３１４はシャフト３２に固定されている。第２プーリー３１２と第３プーリー３１３は、一体となり、ロッド３１７に枢着されている。第１ベルト３１５は、第１プーリー３１１と第２プーリー３１２に巻き付けられている。第２ベルト３１６は、第３プーリー３１３と第４プーリー３１４に巻き付けられている。
【００２２】
フレーム部１０の底部のエッジに近接する箇所では、支持脚５０が複数設けられている。これらの支持脚５０は床面に押付ける。
【００２３】
次に、本考案の一実施例の使用方法を説明する。まず、床面に本考案の足部ストレッチ用健康器具を置いて、滑り板２１、２２にユーザの両足をそれぞれ立って、モータユニット３０を起動する。このとき、モータユニット３０に駆動される伝動ユニット３１により、シャフト３２が回転し、偏心ホイール４３、４４により、シャフト３２の回転は、スライディング動作に変換されてクランク４１、４２を駆動して、クランク４１、４２のスライディング動作により、滑り板２１、２２は、互いに近接し、又は互いに離れる。これにより、ユーザの足部の左右側の筋肉を鍛錬することが可能であり、そして鍛錬時にユーザは容易に疲労しない。
【産業上の利用可能性】
【００２４】
本考案は、健康器具に適用することができる。
【符号の説明】
【００２５】
１０  フレーム部
１１  ガイドレール
１２  ガイドレール
２１  滑り板
２２  滑り板
３０  モータユニット
３１  伝動ユニット
３２  シャフト
３３  モータ枠
３４  モータ
４１  クランク
４２  クランク
４３  偏心ホイール
４４  偏心ホイール
４５  アイドラー
４６  軸受
５０  支持脚
２１１  ローラ
２１２  ラグ
２２１  ローラ
２２２  ラグ
３１１  第１プーリー
３１２  第２プーリー
３１３  第３プーリー
３１４  第４プーリー
３１５  第１ベルト
３１６  第２ベルト
３１７  ロッド
３４１  モータ軸
４１１  駆動端
４１２  作用端
４２１  駆動端
４２２  作用端
４１１１  円形穴
４２１１  円形穴
【図１】
0003191488.tif 000003
【図２】
0003191488.tif 000004
【図３】
0003191488.tif 000005
【図４】
0003191488.tif 000006
【図５】
0003191488.tif 000007
【図６】
0003191488.tif 000008
【図７】
0003191488.tif 000009
【手続補正書】
【提出日】平成26年4月24日(2014.4.24)
【手続補正１】
【補正対象書類名】実用新案登録請求の範囲
【補正対象項目名】請求項２
【補正方法】変更
【補正の内容】
【請求項２】
前記シャフトにアイドラーが固定されており、前記アイドラーにより、前記二つのクランクは、回転が止まらないことを特徴とする、請求項１に記載の足部ストレッチ用健康器具。
【手続補正２】
【補正対象書類名】明細書
【補正対象項目名】０００６
【補正方法】変更
【補正の内容】
【０００６】
本考案の足部ストレッチ用健康器具によると、シャフトにアイドラーが固定されており、アイドラーにより、前記シャフトにアイドラーが固定されており、前記アイドラーにより、二つのクランクは、回転が止まらないことを特徴とする。
【手続補正３】
【補正対象書類名】明細書
【補正対象項目名】００１８
【補正方法】変更
【補正の内容】
【００１８】
シャフト３２にアイドラー４５が固定されている。アイドラー４５により、クランク４１、４２は、回転が止まらない。